(57)【要約】【課題】  横に並べて搬送する場合であっても、匣鉢の内部での温度ばらつき、および、温度ばらつきに起因した熱衝撃による匣鉢の破損を防止することが可能な匣鉢を提供する。【解決手段】  本発明の匣鉢１０は、被焼成物を載せる底部１１と、底部１１の縁に設けられる二対のそれぞれ対向する側壁部（１２Ａおよび１２Ｂ、１２Ｃおよび１２Ｄ）とを有する匣鉢１０であって、少なくとも一対の対向する側壁部１２のそれぞれの外側面には、少なくとも１個の突起１３が設けられており、突起１３は、各々が同じ突出寸法を有している。【選択図】  図１
2015059697.tif 000002
【特許請求の範囲】
【請求項１】
被焼成物を載せる底部と、前記底部の縁に設けられる二対のそれぞれ対向する側壁部とを有する匣鉢であって、
少なくとも一対の対向する前記側壁部のそれぞれの外側面には、少なくとも１個の突起が設けられており、
前記突起は、各々が同じ突出寸法を有していることを特徴とする匣鉢。
【請求項２】
前記突起は、複数の匣鉢を一列に並べて隣接させた際に、一方の匣鉢の前記突起と他方の匣鉢の前記側壁部の外側面とが接触し、かつ、一方の匣鉢の前記突起と他方の匣鉢の前記突起とが互いに接触しない位置に設けられている、請求項１記載の匣鉢。
【請求項３】
前記突起は、匣鉢を上面から見たときに点対称となる位置に配置されている、請求項１または２記載の匣鉢。
【請求項４】
前記突起は、前記匣鉢の上面から見たときの形状が、前記突起の配置されている側壁部と平行な仮想線に点接触する形状である、請求項１から３のいずれか一項に記載の匣鉢。
【請求項５】
前記突起は、前記匣鉢の上面から見たときの形状が、円弧または三角形である、請求項１から４のいずれか一項に記載の匣鉢。
【請求項６】
前記匣鉢は、熱処理炉内のレーンに沿って搬送されるものであって、
前記突起は、搬送方向に垂直な側壁部の外側面にも設けられており、
前記レーンの幅寸法と、前記突起を含む前記匣鉢の幅方向の寸法との差をＤとし、
前記幅方向において、搬送方向に垂直な前記側壁部の外側面から、搬送方向に突起した前記突起までの距離をｄとしたとき、ｄ＞Ｄである、
請求項１から５のいずれか一項に記載の匣鉢。
【請求項７】
前記匣鉢の底部裏面は、前記匣鉢の載置面と部分的に接触するように形成されている、請求項１から６のいずれか一項に記載の匣鉢。
【請求項８】
前記底部裏面における前記載置面との接触部は、前記匣鉢の底面の縁部に設けられている、請求項７記載の匣鉢。
【発明の詳細な説明】
【技術分野】
【０００１】
この発明は、匣鉢に関し、詳しくは、セラミック電子部品の製造に用いられるセラミック素体などを熱処理する場合に用いられる匣鉢に関する。
【背景技術】
【０００２】
セラミック電子部品などの製造に用いられるセラミック素体を焼成する場合の焼成工程において、セラミック素体は、通常、匣鉢と呼ばれる焼成用の容器に入れた状態で熱処理に供される。この種の匣鉢の一例が、特許文献１に開示されている。この背景技術によれば、匣鉢の強度向上を図ることを目的として、焼成すべき成形体を載せる底部と、この底部の縁から立ち上げられる側壁部と、側壁部の側面から壁外方向に突出される凸部とから構成される匣鉢が開示されている。
【先行技術文献】
【特許文献】
【０００３】
【特許文献１】実開平３−３７３９６号公報
【発明の概要】
【発明が解決しようとする課題】
【０００４】
しかし、背景技術では、縦積みでの使用を想定した匣鉢の強度向上を図ったものである。例えば、匣鉢を横に並べて焼成炉に搬送する場合、隣接する匣鉢間で温度差が生じることがあるが、このような状態で匣鉢同士が接触することで、匣鉢内で温度のばらつきが発生し、この温度差に起因した熱衝撃によって匣鉢が割れてしまうという問題点がある。このように、横並べで使用する場合には、縦積みで使用する際には顕在化しなかった問題点が発生する。
【０００５】
本発明は上記問題点を解決するものであり、焼成用道具材である匣鉢を横に並べて搬送する場合であっても、前記匣鉢の内部での温度ばらつき、および、前記温度ばらつきに起因した熱衝撃による破損を防止することが可能な匣鉢を提供することを目的とする。
【課題を解決するための手段】
【０００６】
上記目的を達成するために、本発明の匣鉢は、被焼成物を載せる底部と、前記底部の縁に設けられる二対のそれぞれ対向する側壁部とを有する匣鉢であって、少なくとも一対の対向する側壁部のそれぞれの外側面には、少なくとも１個の突起が設けられており、前記突起は、各々が同じ突出寸法を有していることを特徴とする。
【０００７】
本発明の匣鉢において、前記突起は、複数の匣鉢を一列に並べて隣接させた際に、一方の匣鉢の前記突起と他方の匣鉢の前記側壁部の外側面とが接触し、かつ、一方の匣鉢の前記突起と他方の匣鉢の前記突起とが互いに接触しない位置に設けられていることが好ましい。
【０００８】
また、前記突起は、匣鉢を上面から見たときに点対称となる位置に配置されていることが好ましい。
【０００９】
本発明の匣鉢において、前記突起は、前記匣鉢の上面から見たときの形状が、前記突起の配置されている側壁部と平行な仮想線に点接触する形状であることが好ましい。また、前記突起は、前記匣鉢の上面から見たときの形状が、円弧または三角形であることが好ましい。
【００１０】
そして、前記匣鉢は、熱処理炉内のレーンに沿って搬送されるものであって、前記突起は、搬送方向に垂直な側壁部の外側面にも設けられており、前記レーンの幅寸法と、前記突起を含む前記匣鉢の幅方向の寸法との差をＤとし、前記幅方向において、搬送方向に垂直な前記側壁部の外側面から、搬送方向に突起した前記突起までの距離をｄとしたとき、ｄ＞Ｄであることが好ましい。
【００１１】
本発明の匣鉢において、前記匣鉢の底部裏面は、前記匣鉢の載置面と部分的に接触するように（全面で接触しないように）形成されていることが好ましい。また、前記底部裏面における前記設置面との接触面は、前記匣鉢の底面の縁部に設けられていることが好ましい。
【発明の効果】
【００１２】
本発明によれば、匣鉢等の匣鉢を横に並べて搬送する場合であっても、前記匣鉢の内部での温度ばらつき、および、前記温度ばらつきに起因した熱衝撃による前記匣鉢の破損を防止することが可能な匣鉢を提供することができる。
【００１３】
この発明の上述の目的，その他の目的，特徴および利点は、図面を参照して行う以下の実施例の詳細な説明から一層明らかとなろう。
【図面の簡単な説明】
【００１４】
【図１】図１は、本発明の第１の実施形態に係る匣鉢１０を表側から見た際の概略構成を示す斜視図である。
【図２】図２は、本発明の第１の実施形態に係る匣鉢１０を裏側から見た際の概略構成を示す斜視図である。
【図３】図３（ａ）は、本発明の第１の実施形態に係る匣鉢１０の正面図である。
【図４】図４（ａ）、図４（ｂ）および図４（ｃ）は、本発明の第１の実施形態に係る匣鉢１０の変形例（１０Ａ、１０Ｂ、１０Ｃ）を示す正面図である。
【図５】図５は、本発明の第１の実施形態に係る匣鉢１０が、複数移送される際の状態を示す図である。
【図６】図６は、図４（ｂ）に示す変形例に係る匣鉢１０Ｂが、複数移送される際の状態を示す図である。
【図７】図７は、本発明の匣鉢の搬送方法を示す図である。
【図８】図８（ａ）、図８（ｂ）および図８（ｃ）は、複数の匣鉢１０−１、１０−２の搬送時の状態を示す図である。
【図９】図９（ａ）は、本発明の第２の実施形態に係る匣鉢２０を裏側から見た際の概略構成を示す斜視図である。図９（ｂ）は、前記第２の実施形態に係る匣鉢２０を、図９（ａ）においてＩ−Ｉ方向に見た断面図である。図９（ｃ）は、載置面６９を説明する図である。
【発明を実施するための形態】
【００１５】
以下、この発明の実施の形態を、図面を参照しながら説明する。ただし、本発明は、以下の例に限定および制限されない。
【００１６】
（第１の実施形態）
図１は、本発明の第１の実施形態に係る匣鉢１０を表側から見た際の概略構成を示す斜視図である。図２は、匣鉢１０を裏側から見た際の概略構成を示す斜視図である。図３（ａ）は、匣鉢１０の正面図である。この匣鉢１０は、連続焼成炉内の搬送レールやローラーなどに載置して移送されながら、収納した多数のセラミック成形体（被焼成物）の焼成を行うものである。匣鉢１０は、アルミナ質セラミックなどからなる。匣鉢１０は、被焼成物を載せる底部１１および底部１１の縁に設けられる側壁部１２（１２Ａ、１２Ｂ、１２Ｃ、１２Ｄ）を含む形状（升形状）に形成されている。一対の側壁部１２Ａおよび１２Ｂは互いに対向しており、一対の側壁部１２Ｃおよび１２Ｄも互いに対向している。匣鉢１０には、焼成すべき多数のセラミック成形体を収納すべく、上面のみが開口した収納凹部が設けられている。
【００１７】
そして、匣鉢１０の少なくとも一対の対向する側壁部１２における各側壁部１２の外側面には、少なくとも１個の突起１３が設けられている。この突起１３は、各々が同じ突出寸法を有しており、匣鉢１０を上面から見たときの中心Ｐに対し、点対称の位置に配置されている。点対称の位置に突起１３が配置されることで、匣鉢１０自体の重さバランスが良好になることから、搬送時の振動などの影響を軽減し、搬送安定性を向上されることができる。なお、本発明において、「点対称」とは、厳密な点対称の位置に限定されず、匣鉢１０の搬送時の振動などの影響を軽減して搬送安定性を達成できる点対称の位置付近の範囲を含むことを意味している。本実施形態に係る匣鉢１０においては、二対の対向する側壁部（１２Ａおよび１２Ｂ、１２Ｃおよび１２Ｄ）の各側壁部１２の外側面に各１個の突起１３が設けられている。
【００１８】
本実施形態において、突起１３は、匣鉢１０の上面から見たときの形状が、匣鉢１０の側壁部と平行な仮想線Ｌに点接触する形状である。このような形状であると、匣鉢１０を一列に複数並べて移送させる際に、隣接する匣鉢１０に突起１３が点接触する（図５参照）。匣鉢１０は並べられた状態で、熱処理炉に導入され、加熱されるが、その際に隣接する匣鉢１０と接触することで、熱伝導が起こる。熱処理炉の内部に入っている匣鉢１０と入り口付近の匣鉢１０とでは、温度差があるため、仮に隣接する匣鉢間の接触面積が大きいと、熱衝撃に起因する匣鉢の破損が発生することがある。そこで、本実施形態のように匣鉢１０の側壁部１２の外側面に突起１３を設け、匣鉢１０間の接触面積を小さくすることで、匣鉢１０の割れが抑制される。また、匣鉢１０間での熱移動も抑制されるので、匣鉢１０内での温度のばらつきも改善することができる。
【００１９】
突起１３の突出寸法（匣鉢１０の側壁部１２と仮想線Ｌとの距離に相当）は、０．５ｍｍ〜１ｍｍであることが好ましい。突起１３の突出寸法が大きすぎると、熱処理炉に導入することのできる匣鉢１０の個数が少なくなるからである。
【００２０】
なお、本実施形態において、匣鉢１０の各側壁部１２の上端面には、凹状溝１４が設けられている。凹状溝１４は、いわゆる火溝としての機能を果たすことができる。また、複数の匣鉢１０を高さ方向に重ねる際に、例えば４５度ずつ回転させて溝の形状に合わせて互い違いに重ねると、複数の匣鉢１０を重ねて搬送する場合に安定させることができる。
【００２１】
図４（ａ）、（ｂ）および（ｃ）は、本実施形態に係る匣鉢１０の変形例（それぞれ匣鉢１０Ａ、匣鉢１０Ｂ、匣鉢１０Ｃ）を示す正面図である。図４（ｂ）に示す匣鉢１０Ｂのように、突起１３は、一対の対向する側壁部１２の外側面のみに設けてもよい。一対の対向する側壁部１２にのみ突起１３が設けられる場合、後述する搬送方向に対して垂直となる位置の側壁部１２に突起１３がくるように匣鉢１０Ｂを並べて載置するとよい（図６参照）。突起１３の形状としては、接触面積を小さくするため、上面から見たときに匣鉢１０間の接触が点接触になるような形状であることが好ましい。突起１３の形状は、円弧（図３、図４（ｂ）および（ｃ））または三角形（図４（ａ））であると、点接触も可能であり、突起１３の成形も行いやすく、破損しにくい。本実施形態では、突起１３は高さ方向に柱状に形成されているが、側壁部１２の外側面の高さ方向全体に突起１３があることは必須ではなく、例えば半球状や三角錐状の突起１３が設けられていてもよい。また、図４（ｃ）に示すように、匣鉢１０Ｃの形状は、長方形であってもよい。
【００２２】
次に、本発明の匣鉢を用いて、熱処理炉で熱処理を行う場合の動作について説明する。図７は、匣鉢１０の搬送方法を示す図である。匣鉢１０は、セラミック素体を入れた状態で、搬送レール６１上に載置される。そして、プッシャー（匣鉢搬送手段）６２により、炉本体の熱処理エリアに送り込まれる。同図において、矢印は搬送方向Ｔ（匣鉢１０の進行方向）を示している。そして、熱処理エリアにおいて、セラミック素体に含まれるバインダーの燃焼、分解が行われ、セラミック素体が焼結される。
【００２３】
プッシャー６２は、２本のロッド６３Ａおよびロッド６３Ｂを有しており、これらロッドで匣鉢１０を押して移動させる。ロッド６３Ａおよびロッド６３Ｂは長さの調節がそれぞれ可能である。ここでは、匣鉢１０に設けられた突起１３の大きさに合わせたオフセットＳをロッド長さ方向に設け、ロッド６３Ｂで突起１３を押すようにしている。なお、ロッド６３Ａ、６３Ｂの長さを同じにし、互いの間隔を狭めてロッド６３Ａ、６３Ｂにより匣鉢１０の側壁部１２を押してもよい。また、ロッド６３Ａ、６３Ｂの長さを同じにしたうえで、匣鉢１０の突起１３の形成位置をロッド６３Ａ、６３Ｂの位置から外した位置となるように設計してもよい。
【００２４】
搬送レール６１には、搬送方向Ｔに対して垂直方向の匣鉢１０の動きを軽減するための一対のガイド６４が設けられている。匣鉢１０は、このガイド６４に沿って搬送レール６１上を搬送される。匣鉢１０に設けられる突起１３は、搬送方向Ｔに垂直な側壁部１２の外側面に少なくとも設けられているが、搬送方向Ｔに平行な側壁部１２の外側面にも設けることで、ガイド６４と匣鉢１０との接触面積を小さくすることができる。こうすることで、ガイド６４からの熱伝導に起因する匣鉢１０内の温度むらを軽減することができる。
【００２５】
図８（ａ）、図８（ｂ）および図８（ｃ）は、複数の匣鉢１０−１および１０−２の搬送時の状態を示す図である。同図において、矢印は搬送方向Ｔ（匣鉢１０−１および１０−２の進行方向）を示している。搬送レール６１には、匣鉢１０の底部１１を接触させながら搬送するレーン６７がある。レーン６７の幅は、一対のガイド６４により規定され、突起１３を含む匣鉢１０の幅よりも広めになるように、クリアランスＤが設けられている。このとき、図８に示すように、隣り合って搬送される匣鉢１０−１および匣鉢１０−２は、搬送時の振動等によってレーン６７の幅方向に動くことがある。図８（ａ）では、匣鉢１０−１および１０−２の突起１３が、互いに近づく方向にクリアランスＤ分だけ動いている。一方、図８（ｂ）では、匣鉢１０−１および１０−２の突起１３が、互いに遠ざかる方向にクリアランスＤ分だけ動いている。匣鉢１０−１と匣鉢１０−２とが互いに突起１３が遠ざかる方向に動いた場合、突起１３が匣鉢１０の端部（角付近）に設けられていると、図８（ｃ）に示すように、搬送時に突起１３が隣接する匣鉢１０の側壁部１２に接触せずにずれてしまうことが想定される。したがって、突起１３は、端部ではなく、外側面の幅方向の内側（端部から離れた位置）に設けることが好ましい。また、クリアランスＤが大きすぎても、搬送時に突起１３が隣接する匣鉢１０の側壁部１２に接触せずにずれてしまうことが想定される。したがって、クリアランスＤは大きすぎないことが好ましい。ここで、クリアランス（レーン６７の幅寸法と、突起１３を含む匣鉢１０の幅方向の寸法との差）をＤとし、レーン６７の幅方向において、搬送方向Ｔに垂直な側壁部１２の外側面から、搬送方向Ｔに突出した突起１３までの距離をｄとすると、ｄ＞Ｄの関係にあることが好ましい。これにより、突起１３が隣接する匣鉢１０の側壁部１２に接触せずに匣鉢１０がずれてしまうという問題を防ぐことができる。
【００２６】
また、突起１３を外側面の幅方向の中心付近に設けると、隣接する匣鉢１０の突起１３同士が当たってしまうので、外側面の幅方向の中心部から離れた位置に配置することが好ましい。クリアランスＤおよび距離ｄの関係がｄ＞Ｄを満たす範囲において、突起１３間の距離は大きいが、搬送時の直進安定性が向上するため、好ましい。
【００２７】
（第２の実施形態）
図９（ａ）は、本発明の第２の実施形態に係る匣鉢２０を裏側から見た際の概略構成を示す斜視図である。図９（ｂ）は、匣鉢２０を、図９（ａ）においてＩ−Ｉ方向に見た断面図である。本実施形態の匣鉢２０は、底部裏面２１ａに凹みが設けられており、匣鉢２０とレーン６７の載置面６９とは全面では接触せず、部分的に接触するように形成されている。なお、載置面６９とは、レーン６７上に匣鉢２０が載置される領域であり、図９（ｃ）において、太破線で示した領域である。
【００２８】
匣鉢２０と載置面６９との接触面積を小さくすることで、急な昇温が抑制されて匣鉢２０の破損が防止される。さらに、匣鉢２０と載置面６９との接触面積が変動しにくく、匣鉢２０内での温度のばらつきが改善される。仮に、匣鉢の底部裏面が平坦であると、異物の存在や、載置面の傷などが生じた場合に、接触面積の変動が大きくなり、匣鉢内で温度分布が発生してしまうおそれがある。本実施形態では、匣鉢２０の底部裏面２１ａと載置面６９との接触面積を小さくすることで、このようなリスクも軽減できる。また、匣鉢２０の搬送に起因する載置面６９の摩耗劣化を軽減することもできる。
【００２９】
載置面６９との接触部２３は、連続線形状であると移送時に引っ掛かり等が発生しにくく好ましく、匣鉢２０の縁部を一周囲むように設けることがより好ましい。また、図９に示すような正方形の匣鉢２０の場合、どの側壁部１２が搬送方向Ｔになるように配置されても匣鉢２０内における温度ばらつきが起こらないよう、全周に接触部２３を有することが好ましい。しかし、本発明はこれに限定されない。例えば、搬送レール６１の形状に応じて、底部２１の縁部に接触部２３を部分的に設ける等の形状とすることもできる。接触部２３は、匣鉢２０の表側の側壁部１２と対応する位置に設けると、熱伝導の観点から好ましい。
【００３０】
本実施形態において、匣鉢２０の底部裏面２１ａは凹部を設ける方法で作製されるが、本発明はこれに限られず、底部裏面２１ａを平坦面で形成しておき、後に凸部を設ける方法で作製することもできる。凹部の深さ（または凸部の高さ）は、０．１〜１ｍｍ程度であることが好ましく、０．５〜１ｍｍの範囲であることがより好ましい。
【符号の説明】
【００３１】
１０、１０Ａ、１０Ｂ、１０Ｃ、１０−１、１０−２、２０    匣鉢
１１、２１  底部
１２、１２Ａ、１２Ｂ、１２Ｃ、１２Ｄ  側壁部
１３  突起
１４  凹状溝
２１ａ  底部裏面
６１  搬送レール
６２  プッシャー
６３Ａ、６３Ｂ  ロッド
６４  ガイド
６７  レーン
６９  載置面
Ｐ  匣鉢の中心
Ｌ  仮想線
Ｔ  搬送方向
Ｓ  オフセット
ｄ  突起の端部からの距離
Ｄ  クリアランス
【図１】
2015059697.tif 000003
【図２】
2015059697.tif 000004
【図３】
2015059697.tif 000005
【図４】
2015059697.tif 000006
【図５】
2015059697.tif 000007
【図６】
2015059697.tif 000008
【図７】
2015059697.tif 000009
【図８】
2015059697.tif 000010
【図９】
2015059697.tif 000011